(57)【要約】【課題】蓄電池の動作が停止した場合であっても指定期間内において適切に放電を行うことである。【解決手段】ＨＥＭＳコントローラ１４は、取得部１４２ａと、蓄電池制御部１４２ｂと、計算部１４２ｃと、再開部１４２ｄとを具備する。取得部１４２ａは、所定の期間内に所定の電力量を放電することを指示するＶＰＰ指示を供給側から取得する。蓄電池制御部１４２ｂは、放電指示に基づいて、蓄電池１７が放電するように制御する。計算部１４２ｃは、放電指示に基づいて放電を行っている際に動作が停止した蓄電池１７が復帰した場合に、所定の期間内に所定の電力量のうち、まだ放電していない残りの電力量と、所定の期間が終了するまでの残りの期間とを計算する。再開部１４２ｄは、所定の期間が終了するまでの残りの期間に残りの電力量を蓄電池１７が放電するように、蓄電池１７の放電を再開する。【選択図】図２
2018164388.tif 000002
【特許請求の範囲】
【請求項１】
需要家における蓄電池の充電および放電の制御を行う制御装置であって、
所定の期間内に所定の電力量を放電することを指示する放電指示を供給側から取得する取得部と；
前記放電指示に基づいて、前記蓄電池が放電するように制御する制御部と；
前記放電指示に基づいて放電を行っている際に動作が停止した蓄電池が復帰した場合に、前記所定の期間内に前記所定の電力量のうち、まだ放電していない残りの電力量と、前記所定の期間が終了するまでの残りの期間とを計算する計算部と；
前記所定の期間が終了するまでの残りの期間に前記残りの電力量を前記蓄電池が放電するように、前記蓄電池の放電を再開する再開部と；
を具備する制御装置。
【請求項２】
前記再開部は、前記所定の期間が終了するまでの残りの期間に前記残りの電力量を前記蓄電池が放電することが可能であるか否かを判定し、放電することが可能であると判定した場合には、前記蓄電池の放電を再開することを特徴とする請求項１に記載の制御装置。
【請求項３】
需要家において充電および放電を行う蓄電池であって、
所定の期間内に所定の電力量を放電することを指示する放電指示を受信する受信部と；
前記放電指示に基づいて放電を行っている際に動作が停止してから復帰した場合に、前記所定の期間内に前記所定の電力量のうち、まだ放電していない残りの電力量と、前記所定の期間が終了するまでの残りの期間とを計算する計算部と；
前記所定の期間が終了するまでの残りの期間に前記残りの電力量を放電するように、放電を再開する再開部と；
を具備する蓄電池。
【請求項４】
前記再開部は、前記所定の期間が終了するまでの残りの期間に前記残りの電力量を放電することが可能であるか否かを判定し、放電することが可能であると判定した場合には、放電を再開することを特徴とする請求項３に記載の蓄電池。
【請求項５】
制御装置が実行する制御方法であって、
所定の期間内に所定の電力量を放電することを指示する放電指示を供給側から取得する取得ステップと；
前記放電指示に基づいて、需要家における蓄電池が放電するように制御する制御ステップと；
前記放電指示に基づいて放電を行っている際に動作が停止した蓄電池が復帰した場合に、前記所定の期間内に前記所定の電力量のうち、まだ放電していない残りの電力量と、前記所定の期間が終了するまでの残りの期間とを計算する計算ステップと；
前記所定の期間が終了するまでの残りの期間に前記残りの電力量を前記蓄電池が放電するように、前記蓄電池の放電を再開する再開ステップと；
を含んだ制御方法。
【請求項６】
コンピュータに、
所定の期間内に所定の電力量を放電することを指示する放電指示を供給側から取得する取得手順と；
前記放電指示に基づいて、需要家における蓄電池が放電するように制御する制御手順と；
前記放電指示に基づいて放電を行っている際に動作が停止した蓄電池が復帰した場合に、前記所定の期間内に前記所定の電力量のうち、まだ放電していない残りの電力量と、前記所定の期間が終了するまでの残りの期間とを計算する計算手順と；
前記所定の期間が終了するまでの残りの期間に前記残りの電力量を前記蓄電池が放電するように、前記蓄電池の放電を再開する再開手順と；
を実行させる制御プログラム。
【発明の詳細な説明】
【技術分野】
【０００１】
本発明の実施形態は、制御装置、蓄電池、制御方法および制御プログラムに関する。
【背景技術】
【０００２】
近年、電力をデジタル計測し通信機能を有するスマート電力量メータ（以下、スマートメータ）の普及が進んでいる。電力会社は、専用網などを経由して、顧客宅のスマートメータによる電力量の計測や、通電の停止及び復帰等の様々な用途にてスマートメータを遠隔から操作することが可能になっている。
【０００３】
また、スマートメータは、顧客宅内の顧客が所有するＨＥＭＳコントローラから９２０ＭＨｚ帯無線やＰＬＣ（電力線搬送通信：Power  Line  Communication）等の伝送媒体上で、ＥＣＨＯＮＥＴ  Ｌｉｔｅと呼ぶ通信プロトコルを使用して、瞬時値や積算値などのスマートメータが提供するデータを取得することが可能となっている。
【０００４】
このような通信環境の広がりを踏まえ、需要家のエネルギー機器等の機器を、系統の調整能力として活用するＶＰＰ（Virtual  Power  Plant）と呼ばれる仕組みが、国のエネルギー政策として注目を浴びている。
【０００５】
ＶＰＰでは、アグリゲータと呼ばれる仲介者を経由して、需要家との契約に基づき、需要家宅や契約者の土地に置かれた発電設備、蓄電池、燃料電池、太陽光発電、ネガワット機器（負荷家電など）を制御するネットワークシステムを構築することによって、需要家側からの余剰電力を系統の調整能力機能として活用できる仮想発電所の実現を目指している。
【０００６】
具体的には、ＶＰＰは、電力会社からの要請に基づき、アグリゲータが、契約者の保有する機器に対して、充電（消費）、放電（発電）を指示し、必要に応じた電力（量）を系統に対してコミットさせる仕組みを提供する。なお、アグリゲータは、宅内のＨＥＭＳコントローラを介してエネルギー機器と接続する。
【０００７】
また、ＶＰＰは、供給側が需要側の電力消費を制御することで受給の調整を図る仕組みを提供する。この場合、供給側となる電力会社等からの要請に基づき、アグリゲータが、需要と供給とのギャップを埋めるように、需要家のＨＥＭＳコントローラに、電力消費制御要求（ＤＲ：Demand  Response）コマンドを発動して、需要家の機器による電力消費量の制御を行う。
【０００８】
例えば、電力会社は、需要家に対して、指定時刻に蓄電池の放電（逆潮流）を開始して指定期間内に指定放電量を満たすまで放電を行うことを指示するＤＲコマンドを行うことを指示するＤＲコマンド等を発動する。このようなＤＲコマンドが発動された後に、停電等が原因で蓄電池の動作が停止した場合には、放電が中断される。
【先行技術文献】
【非特許文献】
【０００９】
【非特許文献１】ディマンドリスポンス（ネガワット取引）ハンドブック、［online］、［平成２９年３月１７日検索］、インターネット＜ＵＲＬ：http://www.meti.go.jp/press/2016/12/20161228004/20161228004-1.pdf＞
【発明の概要】
【発明が解決しようとする課題】
【００１０】
ところで、停電等が原因で蓄電池の動作が停止した場合には、蓄電池の動作が停止するので、指定期間内において適切に放電を行うことができない場合があるといった課題がある。
【課題を解決するための手段】
【００１１】
実施形態の制御装置は、需要家における蓄電池の充電および放電の制御を行う制御装置であって、所定の期間内に所定の電力量を放電することを指示する放電指示を供給側から取得する取得部と；前記放電指示に基づいて、前記蓄電池が放電するように制御する制御部と；前記放電指示に基づいて放電を行っている際に動作が停止した蓄電池が復帰した場合に、前記所定の期間内に前記所定の電力量のうち、まだ放電していない残りの電力量と、前記所定の期間が終了するまでの残りの期間とを計算する計算部と；前記所定の期間が終了するまでの残りの期間に前記残りの電力量を前記蓄電池が放電するように、前記蓄電池の放電を再開する再開部と；を具備する。
【発明の効果】
【００１２】
実施形態に係る制御装置、蓄電池、制御方法および制御プログラムは、蓄電池の動作が停止した場合であっても指定期間内において適切に放電を行うことができる。
【図面の簡単な説明】
【００１３】
【図１】図１は、第１の実施形態に係る通信システムの構成例を示す図である。
【図２】図２は、第１の実施形態に係るＨＥＭＳコントローラの構成の一例を示す図である。
【図３】図３は、ＶＰＰ指示記憶部に記憶されるデータの一例を示す図である。
【図４】図４は、第１の実施形態に係る通信システムにおける動作の一例を示すシーケンス図である。
【図５】図５は、第２の実施形態に係る蓄電池の構成の一例を示す図である。
【図６】図６は、第２の実施形態に係る通信システムにおける動作の一例を示すシーケンス図である。
【発明を実施するための形態】
【００１４】
以下で説明する実施形態に係るＨＥＭＳコントローラ１４は、取得部１４２ａと、蓄電池制御部１４２ｂと、計算部１４２ｃと、再開部１４２ｄとを具備する。取得部１４２ａは、所定の期間内に所定の電力量を放電することを指示するＶＰＰ指示を供給側から取得する。蓄電池制御部１４２ｂは、放電指示に基づいて、蓄電池１７が放電するように制御する。計算部１４２ｃは、放電指示に基づいて放電を行っている際に動作が停止した蓄電池１７が復帰した場合に、所定の期間内に所定の電力量のうち、まだ放電していない残りの電力量と、所定の期間が終了するまでの残りの期間とを計算する。再開部１４２ｄは、所定の期間が終了するまでの残りの期間に残りの電力量を蓄電池１７が放電するように、蓄電池１７の放電を再開する。
【００１５】
また、以下で説明する実施形態に係る再開部１４２ｄは、所定の期間が終了するまでの残りの期間に残りの電力量を蓄電池１７が放電することが可能であるか否かを判定し、放電することが可能であると判定した場合には、蓄電池１７の放電を再開する。
【００１６】
また、以下で説明する実施形態に係る蓄電池１７Ａは、受信部１７２ａと、計算部１７２ｂと、再開部１７２ｃとを具備する。受信部１７２ａは、所定の期間内に所定の電力量を放電することを指示する放電指示を受信する。計算部１７２ｂは、放電指示に基づいて放電を行っている際に動作が停止してから復帰した場合に、所定の期間内に所定の電力量のうち、まだ放電していない残りの電力量と、所定の期間が終了するまでの残りの期間とを計算する。再開部１７２ｃは、所定の期間が終了するまでの残りの期間に残りの電力量を放電するように、放電を再開する。
【００１７】
また、以下で説明する実施形態に係る再開部１７２ｃは、所定の期間が終了するまでの残りの期間に残りの電力量を放電することが可能であるか否かを判定し、放電することが可能であると判定した場合には、放電を再開する。
【００１８】
また、以下で説明する実施形態に係る制御方法は、ＨＥＭＳコントローラ１４が実行する制御方法であって、取得ステップと、制御ステップと、計算ステップと、再開ステップとを含む。取得ステップは、所定の期間内に所定の電力量を放電することを指示する放電指示を供給側から取得する。制御ステップは、放電指示に基づいて、需要家における蓄電池１７が放電するように制御する。計算ステップは、放電指示に基づいて放電を行っている際に動作が停止した蓄電池１７が復帰した場合に、所定の期間内に所定の電力量のうち、まだ放電していない残りの電力量と、所定の期間が終了するまでの残りの期間とを計算する。再開ステップは、所定の期間が終了するまでの残りの期間に残りの電力量を蓄電池１７が放電するように、蓄電池１７の放電を再開する。
【００１９】
また、以下で説明する実施形態に係る制御プログラムは、取得手順と、制御手順と、計算手順と、再開手順とを実行させる。取得手順は、所定の期間内に所定の電力量を放電することを指示する放電指示を供給側から取得する。制御手順は、放電指示に基づいて、需要家における蓄電池１７が放電するように制御する。計算手順は、放電指示に基づいて放電を行っている際に動作が停止した蓄電池１７が復帰した場合に、所定の期間内に所定の電力量のうち、まだ放電していない残りの電力量と、所定の期間が終了するまでの残りの期間とを計算する。再開手順は、所定の期間が終了するまでの残りの期間に残りの電力量を蓄電池１７が放電するように、蓄電池１７の放電を再開する。
【００２０】
以下、図面を参照して、実施形態に係る通信システムを説明する。実施形態において同一の部位には同一の符号を付し、重複する説明は省略される。
【００２１】
（第１の実施形態）
まず、図１〜図４を用いて、第１の実施形態に係る通信システムついて説明する。
【００２２】
［通信システムの構成］
図１は、第１の実施形態に係る通信システム１の構成例を示す図である。通信システム１は、電力会社のサーバ装置（以降、電力会社という。）１１、アグリゲータのサーバ装置（以降、アグリゲータという）１２、ＥＭＳ（Energy  Management  System）クラウド１３、ＨＥＭＳコントローラ１４、スマートメータ（電力計測器）１５、電気機器１６及び蓄電池１７を備える。図１の例では、ＨＥＭＳコントローラ１４、スマートメータ１５、電気機器１６及び蓄電池１７は、契約者宅内Ｈに設置されている。
【００２３】
電力会社１１は、電力会社のサーバ装置である。アグリゲータ１２は、電力会社と契約者との仲介を行い、電気機器１６および蓄電池１７に対する制御指示を実行するサーバ装置である。例えば、アグリゲータ１２は、需要家のＨＥＭＳコントローラ１４に対するＶＰＰ指示として、所定の期間内に所定の電力量を放電することを蓄電池１７に指示する。
【００２４】
ＥＭＳクラウド１３は、契約者のＨＥＭＳコントローラ１４から取得される電力データなどを集約する。ＥＭＳクラウド１３は、契約者に対して使用電力量のグラフ化（見える化）や機器の遠隔制御機能などを提供する。ＥＭＳクラウド１３は、アグリゲータ１２に対して契約者（需要家）の余剰電力を一括して制御対象としてコミットする機能を有する。
【００２５】
ＨＥＭＳコントローラ１４は、蓄電池１７の放電を指示するＶＰＰ指示を受信すると、ＶＰＰ指示に基づいて、蓄電池１７が放電するように制御する。また、ＨＥＭＳコントローラ１４は、放電を行っている際に動作が停止した蓄電池１７が復帰した場合に、所定の期間内に所定の電力量のうち、まだ放電していない残りの電力量と、所定の期間が終了するまでの残りの期間とを計算する。そして、ＨＥＭＳコントローラ１４は、所定の期間が終了するまでの残りの期間に残りの電力量を蓄電池１７が放電するように、蓄電池１７の放電を再開する。
【００２６】
スマートメータ１５は、電力系統から供給された電力、すなわち電力系統から買電した電力や、電力系統側へ供給した電力、すなわち売電した電力を計量する。電気機器１６は、契約者宅に設置された空調機器、照明機器等である。
【００２７】
蓄電池１７は、契約者宅に設置された二次電池（バッテリ）である。例えば、蓄電池１７は、電力系統から供給される電力や太陽光パネルにより生成された電力により充電される。また、例えば、蓄電池１７は、契約者宅に設置された電気機器１６に電力を供給する。また、蓄電池１７は、ＨＥＭＳコントローラ１４からのＶＰＰ指示に基づいて、蓄電池１７の放電（逆潮）を行う。なお、蓄電池１７における残量や動作状態は、ＥＣＨＯＮＥＴ  Ｌｉｔｅ等の通信プロトコルを介して、ある一定時間（例えば３０分）間隔で、ＨＥＭＳコントローラ１４に取得される。
【００２８】
［ＨＥＭＳコントローラの構成］
図２を参照し、ＨＥＭＳコントローラ１４の構成について説明する。図２は、第１の実施形態に係るＨＥＭＳコントローラ１４の構成の一例を示す図である。ＨＥＭＳコントローラ１４は、通信部１４１と、制御部１４２と、記憶部１４３と、を備える。
【００２９】
通信部１４１は、無線通信処理や有線通信処理を行うためのネットワークデバイスである。具体的には、通信部１４１は、図１に示したアグリゲータ１２等との間で、無線通信により各種情報を送受信する。例えば、通信部１４１は、アグリゲータ１２からＥＭＳクラウド１３を介してＶＰＰ指示を受信する。
【００３０】
記憶部１４３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１４３は、ＶＰＰ指示記憶部１４３ａを有する。
【００３１】
ＶＰＰ指示記憶部１４３ａは、アグリゲータ１２から送信されたＶＰＰ指示に含まれる情報を記憶する。例えば、ＶＰＰ指示記憶部１４３ａは、図３に例示するように、ＶＰＰ指示に対する識別子である「ＶＰＰ指示ＩＤ」と、ＶＰＰ指示による制御を開始する時刻である「開始時刻」と、ＶＰＰ指示による制御を終了する時刻である「終了時刻」と、ＶＰＰ指示により放電する「電力量」とを対応付けて記憶する。なお、開始時刻および終了時刻については、電力会社１１またはアグリゲータ１２側で決定してもよいし、ＨＥＭＳコントローラ１４側で決定してもよい。
【００３２】
図３におけるＶＰＰ指示要求ＩＤ「Ｇ」は、アグリゲータ１２が発行するＶＰＰ指示要求に対する識別子である。また、図３の例では、ＶＰＰ指示記憶部１４３ａは、開始時刻ｔ１から終了時刻ｔ４までの期間において、電力量３Ｘ［ｗｈ］の放電を行うＶＰＰ指示に関する情報を記憶している。
【００３３】
制御部１４２は、取得部１４２ａと、蓄電池制御部１４２ｂと、計算部１４２ｃと、再開部１４２ｄとを有する。制御部１４２は、例えば、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路であり、ＨＥＭＳコントローラ１４の全体制御を実行する。
【００３４】
取得部１４２ａは、所定の期間内に所定の電力量を放電することを指示するＶＰＰ指示を供給側から取得する。例えば、取得部１４２ａは、開始時刻ｔ１から終了時刻ｔ４までの期間において、電力量３Ｘ［Ｗｈ］の放電を行うＶＰＰ指示をＥＭＳクラウド１３を介して、アグリゲータ１２から取得する。また、取得部１４２ａは、ＶＰＰ指示を取得すると、ＶＰＰ指示に含まれる「ＶＰＰ指示ＩＤ」と「開始時刻」と「終了時刻」と「電力量」とをＶＰＰ指示記憶部１４３ａに格納する。
【００３５】
蓄電池制御部１４２ｂは、放電指示に基づいて、蓄電池１７が放電するように制御する。例えば、蓄電池制御部１４２ｂは、開始時刻ｔ１に蓄電池１７の放電を開始するように制御し、終了時刻ｔ４を経過するより前に、電力量３Ｘの放電が終わるように蓄電池１７を制御する。
【００３６】
計算部１４２ｃは、放電指示に基づいて放電を行っている際に動作が停止した蓄電池１７が復帰した場合に、所定の期間内に所定の電力量のうち、まだ放電していない残りの電力量と、所定の期間が終了するまでの残りの期間とを計算する。例えば、計算部１４２ｃは、ｔ１〜ｔ４の期間内に放電するべき電力量が３Ｘであって、蓄電池１７がｔ１〜ｔ２の間に１Ｘの電力量を放電し、ｔ２〜ｔ３の間蓄電池１７が停止していた場合には、残りの電力量を３Ｘから１Ｘを引いた「２Ｘ」と計算し、残りの期間を「ｔ３〜ｔ４」と計算する。
【００３７】
再開部１４２ｄは、所定の期間が終了するまでの残りの期間に残りの電力量を蓄電池１７が放電するように、蓄電池１７の放電を再開する。また、再開部１４２ｄは、所定の期間が終了するまでの残りの期間に残りの電力量を蓄電池１７が放電することが可能であるか否かを判定し、放電することが可能であると判定した場合には、蓄電池１７の放電を再開する。
【００３８】
例えば、再開部１４２ｄは、残りの電力量が「２Ｘ」であって、残り期間が「ｔ３〜ｔ４」である場合には、蓄電池１７が急速放電を行うことで、「ｔ３〜ｔ４」の期間で「２Ｘ」の電力量を放電できるか否かを判定する。この結果、再開部１４２ｄは、残り期間で放電できると判定した場合には、蓄電池１７に対して急速放電を指示する。なお、再開部１４２ｄは、残り期間で放電できないと判定した場合には、放電の再開を指示しない。
【００３９】
また、ＥＣＨＯＮＥＴ  Ｌｉｔｅ仕様では、ＶＰＰ終了時に蓄電池１７の動作を止める命令は送らなくてよい。つまり、ＥＣＨＯＮＥＴ  Ｌｉｔｅ仕様では、充電量や放電量を指定して充電・放電量が満たされると自動的に停止するため、終了指示は不要である。
【００４０】
［通信システムの処理手順］
次に、図４を参照して、通信システム１における動作例を説明する。図４は、第１の実施形態に係る通信システムにおける動作の一例を示すシーケンス図である。図４に示すように、通信システム１のＨＥＭＳコントローラ１４は、蓄電池１７に対して残量や動作状況を要求し（ステップＳ１０１）、蓄電池１７の余力を把握して（ステップＳ１０２）、ＥＭＳクラウド１３に蓄電池１７の残量や動作状況に関する情報を通知する（ステップＳ１０３）。なお、ステップＳ１０１〜Ｓ１０３の処理は、定期的に行われているものとする。
【００４１】
アグリゲータ１２は、蓄電池１７の放電を指示するＶＰＰ指示をＥＭＳクラウド１３を介してＨＥＭＳコントローラ１４に送信する（ステップＳ１０４）。ＨＥＭＳコントローラ１４は、蓄電池１７の放電を指示するＶＰＰ指示を受信すると（ステップＳ１０５）、ＶＰＰ指示に基づいて、蓄電池１７が放電するように指示する（ステップＳ１０６）。例えば、ＨＥＭＳコントローラ１４は、開始時刻ｔ１に蓄電池１７の放電開始を指示する。
【００４２】
その後、蓄電池１７は、放電（逆潮）を行い、電力量１Ｘの放電を行ったｔ２の時点で、停電等が原因で動作が停止する（ステップＳ１０７）。この際、蓄電池１７は、系統と接続して放電を行う系統接続モードから自立モードに切り替わる。その後、蓄電池１７は、停電から復帰する（ステップＳ１０８）。なお、蓄電池１７の復帰後、ＨＥＭＳコントローラ１４は、蓄電池１７の残量、動作状態を確認し、ユーザに蓄電池１７を自立モードから系統接続モードへ切り替えさせる指示を出す。
【００４３】
ＨＥＭＳコントローラ１４は、系統接続モードに切り替わったことを確認した後、所定の期間内に所定の電力量のうち、まだ放電していない残りの電力量と、所定の期間が終了するまでの残りの期間とを再計算する（ステップＳ１０９）。例えば、ＨＥＭＳコントローラ１４は、ｔ１〜ｔ４の期間内に放電するべき電力量が３Ｘであって、蓄電池１７がｔ１〜ｔ２の間に１Ｘの電力量を放電し、ｔ２〜ｔ３の間蓄電池１７の放電が停止していた場合には、残りの電力量を３Ｘから１Ｘを引いた「２Ｘ」と計算し、残りの期間を「ｔ３〜ｔ４」と計算する。
【００４４】
そして、ＨＥＭＳコントローラ１４は、は、所定の期間が終了するまでの残りの期間に残りの電力量を蓄電池１７が放電するように、蓄電池１７の放電を再開するよう指示する（ステップＳ１１０）。その後、蓄電池１７は、放電を再開し、残りの電力量「２Ｘ」を放電した時点で自動的に放電を停止する（ステップＳ１１１）。
【００４５】
［第１の実施形態の効果］
このように、第１の実施形態に係るＨＥＭＳコントローラ１４は、取得部１４２ａと、蓄電池制御部１４２ｂと、計算部１４２ｃと、再開部１４２ｄとを具備する。取得部１４２ａは、所定の期間内に所定の電力量を放電することを指示するＶＰＰ指示を供給側から取得する。蓄電池制御部１４２ｂは、放電指示に基づいて、蓄電池１７が放電するように制御する。計算部１４２ｃは、放電指示に基づいて放電を行っている際に動作が停止した蓄電池１７が復帰した場合に、所定の期間内に所定の電力量のうち、まだ放電していない残りの電力量と、所定の期間が終了するまでの残りの期間とを計算する。再開部１４２ｄは、所定の期間が終了するまでの残りの期間に残りの電力量を蓄電池１７が放電するように、蓄電池１７の放電を再開する。
【００４６】
このため、第１の実施形態に係るＨＥＭＳコントローラ１４では、蓄電池１７の動作が停止した場合であっても指定期間内において適切に放電を行うことができる。つまり、ＨＥＭＳコントローラ１４は、停電等が原因で蓄電池１７の動作が停止した場合には、蓄電池１７の復帰後に、残りの放電すべき電力量と残りの期間を計算して、ＶＰＰ指示の指定期間内に放電を完了するように制御するので、ＶＰＰ指示により指定された期間内に指定の電力量を放電することが可能となる。
【００４７】
また、ＨＥＭＳコントローラ１４の再開部１４２ｄは、所定の期間が終了するまでの残りの期間に残りの電力量を蓄電池１７が放電することが可能であるか否かを判定し、放電することが可能であると判定した場合には、蓄電池１７の放電を再開する。このため、ＨＥＭＳコントローラ１４は、ＶＰＰ指示の指定期間内に指定の電力量の放電を完了することが可能な場合にのみ、蓄電池１７に放電を再開させることが可能となる。
【００４８】
（第２の実施形態）
第１の実施形態では、蓄電池１７の動作が停止した場合には、蓄電池１７の復帰後に、ＨＥＭＳコントローラ１４が残りの放電すべき電力量と残りの期間を計算して、ＶＰＰ指示の指定期間内に放電を完了するように制御する例を説明した。第２の実施形態では、蓄電池１７Ａ自身が、復帰後に、残りの放電すべき電力量と残りの期間を計算して、ＶＰＰ指示の指定期間内に放電を完了するように放電を再開する例を説明する。
【００４９】
［蓄電池の構成］
図５を参照し、蓄電池１７Ａの構成について説明する。図５は、第２の実施形態に係る蓄電池の構成の一例を示す図である。図５に示すように、蓄電池１７Ａは、通信部１７１と、制御部１７２と、記憶部１７３と、を備える。
【００５０】
通信部１７１は、無線通信処理や有線通信処理を行うためのネットワークデバイスである。具体的には、通信部１７１は、図１に示したＨＥＭＳコントローラ１４等との間で、無線通信により各種情報を送受信する。例えば、通信部１７１は、ＨＥＭＳコントローラ１４から充放電の指示を受信する。
【００５１】
記憶部１７３は、ＶＰＰ指示記憶部１７３ａを有する。ＶＰＰ指示記憶部１７３ａは、前述したＶＰＰ指示記憶部１４３ａと同様に、ＶＰＰ指示に含まれる情報を記憶する。ＶＰＰ指示記憶部１７３ａに記憶される情報は、ＨＥＭＳコントローラ１４からの指示に含まれる情報であるものとする。
【００５２】
制御部１７２は、受信部１７２ａと、計算部１７２ｂと、再開部１７２ｃとを有する。受信部１７２ａは、所定の期間内に所定の電力量を放電することを指示する放電指示をＨＥＭＳコントローラ１４から受信する。計算部１７２ｂは、放電指示に基づいて放電を行っている際に動作が停止してから復帰した場合に、所定の期間内に所定の電力量のうち、まだ放電していない残りの電力量と、所定の期間が終了するまでの残りの期間とを計算する。
【００５３】
再開部１７２ｃは、所定の期間が終了するまでの残りの期間に残りの電力量を放電するように、放電を再開する。また、再開部１７２ｃは、所定の期間が終了するまでの残りの期間に残りの電力量を放電することが可能であるか否かを判定し、放電することが可能であると判定した場合には、放電を再開する。
【００５４】
［通信システムの処理手順］
次に、図６を参照して、通信システムにおける動作例を説明する。図６は、第２の実施形態に係る通信システムにおける動作の一例を示すシーケンス図である。図６に示すように、通信システム１のＨＥＭＳコントローラ１４は、蓄電池１７Ａに対して残量や動作状況を要求し（ステップＳ２０１）、蓄電池１７Ａの余力を把握して（ステップＳ２０２）、ＥＭＳクラウド１３に蓄電池１７Ａの残量や動作状況に関する情報を通知する（ステップＳ２０３）。
【００５５】
アグリゲータ１２は、蓄電池１７Ａの放電を指示するＶＰＰ指示をＥＭＳクラウド１３を介してＨＥＭＳコントローラ１４に送信する（ステップＳ２０４）。ＨＥＭＳコントローラ１４は、蓄電池１７Ａの放電を指示するＶＰＰ指示を受信すると（ステップＳ２０５）、ＶＰＰ指示に基づいて、蓄電池１７Ａが放電するように指示する（ステップＳ２０６）。例えば、ＨＥＭＳコントローラ１４は、開始時刻ｔ１に蓄電池１７Ａの放電開始を指示する。
【００５６】
その後、蓄電池１７Ａは、放電（逆潮）を行い、電力量１Ｘの放電を行ったｔ２の時点で、停電等が原因で動作が停止する（ステップＳ２０７）。この際、蓄電池１７Ａは、系統と接続して放電を行う系統接続モードから自立モードに切り替わる。その後、蓄電池１７Ａは、停電から復帰する（ステップＳ２０８）。
【００５７】
蓄電池１７Ａは、所定の期間内に所定の電力量のうち、まだ放電していない残りの電力量と、所定の期間が終了するまでの残りの期間とを再計算する（ステップＳ２０９）。例えば、蓄電池１７Ａは、ｔ１〜ｔ４の期間内に放電するべき電力量が３Ｘであって、自身がｔ１〜ｔ２の間に１Ｘの電力量を放電し、ｔ２〜ｔ３の間は放電が停止していた場合には、残りの電力量を３Ｘから１Ｘを引いた「２Ｘ」と計算し、残りの期間を「ｔ３〜ｔ４」と計算する。
【００５８】
そして、蓄電池１７Ａは、所定の期間が終了するまでの残りの期間に残りの電力量を蓄電池１７Ａが放電するように、放電を再開する。その後、蓄電池１７Ａは、放電を再開し、残りの電力量「２Ｘ」を放電した時点で自動的に放電を停止する（ステップＳ２１０）。
【００５９】
［第２の実施形態の効果］
このように、第２の実施形態に係る蓄電池１７Ａは、受信部１７２ａと、計算部１７２ｂと、再開部１７２ｃとを具備する。受信部１７２ａは、所定の期間内に所定の電力量を放電することを指示する放電指示を受信する。計算部１７２ｂは、放電指示に基づいて放電を行っている際に動作が停止してから復帰した場合に、所定の期間内に所定の電力量のうち、まだ放電していない残りの電力量と、所定の期間が終了するまでの残りの期間とを計算する。再開部１７２ｃは、所定の期間が終了するまでの残りの期間に残りの電力量を放電するように、放電を再開する。
【００６０】
このため、第２の実施形態に係る蓄電池１７Ａでは、蓄電池１７Ａの動作が停止した場合であっても、蓄電池１７Ａ自身が自律的に動作して、残りの放電すべき電力量と残りの期間を計算して、ＶＰＰ指示の指定期間内に放電を完了するように動作するので、ＶＰＰ指示により指定された期間内に指定の電力量を放電することが可能となる。
【００６１】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００６２】
１  通信システム
１１  電力会社
１２  アグリゲータ
１３  ＥＭＳクラウド
１４  ＨＥＭＳコントローラ
１５  スマートメータ
１６  電気機器
１７、１７Ａ  蓄電池
１４１、１７１  通信部
１４２、１７２  制御部
１４２ａ  取得部
１４２ｂ  蓄電池制御部
１４２ｃ、１７２ｂ  計算部
１４２ｄ、１７２ｃ  再開部
１４３、１７３  記憶部
１４３ａ、１７３ａ  ＶＰＰ指示記憶部
１７２ａ  受信部
【図１】
2018164388.tif 000003
【図２】
2018164388.tif 000004
【図３】
2018164388.tif 000005
【図４】
2018164388.tif 000006
【図５】
2018164388.tif 000007
【図６】
2018164388.tif 000008